(57)【要約】【課題】出入口においてチェーン張り状態に素早くロックでき、しかも、開閉にキーを必要としない防犯上好都合なチェーン張りロック装置を提供する。【解決手段】出入口の両側に立設した一方の支柱に張チェーンを連結し、他方の支柱の上端には張チェーン先を着脱する操作ボックスを搭載し、張チェーン先には、連結プレートが取り付けてあって、操作ボックスは、出入口側の面壁に連結プレートの差込口が形成され、内部には主要機器として、ノブおよびラッチ杆付き押ボタン錠が内蔵され、連結プレートには、前記ラッチ杆が附勢力によりプレート側面から落ち込むロック穴を設けてあって、押ボタン操作での暗唱番号の設定とノブの回転により、施錠又は解錠される【選択図】    図１
2019070268.tif 000002
【特許請求の範囲】
【請求項１】
出入口の両側に立設した一方の支柱に張チェーンを連結し、他方の支柱の上端には張チェーン先を着脱する操作ボックスを搭載し、張チェーン先には、連結プレートが取り付けてあって、操作ボックスは、出入口側の面壁に連結プレートの差込口が形成され、内部には主要機器として、ノブおよびラッチ杆付き押ボタン錠が内蔵され、連結プレートには、前記ラッチ杆が附勢力によりプレート側面から落ち込むロック穴を設けてあって、押ボタン操作での暗唱番号の設定とノブの回転により、施錠又は解錠されることを特徴とする出入口におけるチェーン張りロック装置。
【請求項２】
上記操作ボックスには、上記押ボタン錠に隣接して上記張チェーンの連結プレートの差し込みを案内する上下ガイド溝が配列してあり、押ボタン錠には、ガイド溝と交差方向にラッチ杆が出入可能に突設され、ラッチ杆について、連結プレート側面を突く附勢形態への変換手段が具備され、連結プレートには、前記ラッチ杆が附勢力によりプレート側面から落ち込むロック穴を設けてあって、押ボタン操作での暗唱番号の設定とノブの回転により、ロック穴からラッチ杆を引き上げ得るように押ボタン錠が設定されていることを特徴とする請求項１記載の出入口におけるチェーン張りロック装置。
【請求項３】
連結プレートの差込口が縦長のスリット状に形成されていることを特徴とする請求項１又は２記載の出入口におけるチェーン張りロック装置。
【請求項４】
ラッチ杆が連結プレート側面を突く前記附勢形態への変換手段として、ラッチ杆の先端に、連結プレートの前端縁が押す箇所で逃げ角となる斜面を形成してあることを特徴とする請求項１，２又は３記載の出入口におけるチェーン張りロック装置。
【請求項５】
ラッチ杆が連結プレート側面を突く前記附勢形態への変換手段として、連結プレートの先端に、ラッチ杆の先端が接触する箇所で逃げ角となる斜面を形成してあることを特徴とする請求項１，２又は３記載の出入口におけるチェーン張りロック装置。
【発明の詳細な説明】
【技術分野】
【０００１】
この発明は、駐車場などの出入口にチェーンを張った場合に使用するロック装置に関する。
【背景技術】
【０００２】
駐車場や各種会場を仕切るために、支柱を配列することによりバーやチェーンを張り、これで所要範囲が区画されるので、同時に一部が出入口としてチェーンが開閉可能とされる。また、防犯上から鍵により出入口がロックされることもある。
【０００３】
チェーンの場合、ロックの仕方については, 支柱の上端とチェーンの先端との両方に鍵のフックを掛けていたが、煩雑で細かな作業となり、またキーを紛失すると鍵が使用できなくなるなど防犯上問題があった。
【発明の概要】
【発明が解決しようとする課題】
【０００４】
この発明は、出入口においてチェーン張り状態に素早くロックでき、しかも、開閉にキーを必要としない防犯上好都合なチェーン張りロック装置を提供することを課題とした。
【課題を解決するための手段】
【０００５】
上記の課題を解決するために、この発明は、出入口の両側に立設した一方の支柱に張チェーンを連結し、他方の支柱の上端には張チェーン先を着脱する操作ボックスを搭載し、張チェーン先には、連結プレートが取り付けてあって、操作ボックスは、出入口側の面壁に連結プレートの差込口が縦長のスリット状に形成され、内部には主要機器として、ノブおよびラッチ杆付き押ボタン錠が内蔵され、これに隣接して連結プレートの差し込みを案内する上下ガイド溝が配列してあり、押ボタン錠には、ガイド溝と交差方向にラッチ杆が出入可能に突設され、ラッチ杆について、連結プレート側面を突く附勢形態への変換手段が具備され、連結プレートには、前記ラッチ杆が附勢力によりプレート側面から落ち込むロック穴を設けてあって、押ボタン操作での暗唱番号の設定とノブの回転により、ロック穴からラッチ杆を引き上げ得るように押ボタン錠が設定されていることを特徴とする出入口におけるチェーン張りロック装置を提供する。
【０００６】
出入口におけるチェーン張りロック装置を上記のように構成したから、操作ボックスの差込口に連結プレートを差し込むと、附勢手段によりラッチ杆の先端が連結プレートの側面に押し付けるもので、この状態でロック穴が進行するとそれにラッチ杆が突入し、その引っ掛かりで連結プレートが引き抜き不能にロックされる。このときラッチ杆が固定状態にあるが、押ボタンで暗唱番号を入力すると、その固定が解かれるので、ノブの回転によりラッチ杆を引っ込めてロックを解除し、連結プレートを引き出すことができる。
【発明の効果】
【０００７】
以上説明したように、操作ボックスの差込口にチェーンの連結プレートを差し込むだけで抜けなくなるので、出入口においてチェーン張りに素早くロックでき、しかも、押ボタン錠のボタン操作によりロック解除できることから、開閉にキーを必要としなく好都合であるという優れた効果がある。
【図面の簡単な説明】
【０００８】
【図１】駐車場の出入口におけるチェーン張りロック装置の外観を示す斜視図である。
【図２】同チェーン張りロック装置の要部として操作ケースの内部構造を示す斜視図である。
【図３】チェーン先の連結プレートを操作板に差し込む初期操作時の内部構造の平面図である。
【図４】ロック寸前にまで連結プレートを差し込んだ状態を示す内部構造の平面図である。
【図５】さらに連結プレートを差し込んでロックされた状態を示す内部構造の平面図である。
【図６】連結プレートを引出し可能にロックを解除した状態を示す内部構造の平面図である。
【図７】他の実施例を示す図２に対応する斜視図である。
【発明を実施するための形態】
【実施例】
【０００９】
図１ないし図６は一実施例を示したもので、そのチェーン張りロック装置は、駐車場の出入口が左右一対の支柱１，２間として設けられ、張りチェーン５を一方の支柱１に連結し他方の支柱２に着脱可能に止めるようにしたもので、支柱２にはロック操作可能に操作ボックス３が搭載され、これには出入口と反対側に開閉扉７が設けられ、出入口側がボックス本体の面壁８となっている。
【００１０】
操作ボックス３には、内部に要部機器として押ボタン錠９が設けられる。押ボタン錠９は公知のものであって、本体には扉７側に暗証番号の押ボタン１１，１１、・・が突設されるほか、回転でラッチ杆１５を引っ込めるノブ１３が突設される。また、側面にはラッチ杆１５が出入するように突設され、内部にラッチ杆１５を「出」に附勢するコイルばね１７が内装される。
【００１１】
ラッチ杆１５の出入はノブ１３により、ノブ１３を回転すると、ラッチ杆１５が引っ込み、次いでコイルばね１７の弾力で「出」に変換されると、出に固定しロック状態となる。その解除は押ボタン１１の暗唱番号入力により、ノブ１３の回転でラッチ杆１５を引っ込ませて行う。
【００１２】
張りチェーン５の先端には、連結プレート１９が取り付けられ、操作ボックス３の面壁８にその差込口２１が形成され、内部には差込口２１に接続して上下溝を有するガイド２３が配設され、その先端にストッパ２５が設けてある。また、前記附勢形態への変換手段として、ラッチ杆１５の先端には連結プレート１９の先端縁を受ける逃げ角の斜面２０が形成されている。
【００１３】
連結プレート１９には先端部の側面にラッチ杆１５が落ち込むロック穴２７が設けられる。そこで、連結プレート１９を差込口２１からガイド２３に沿って深く押し込むと、先端がラッチ杆１５の先端斜面２０を押すので、ラッチ杆１５が一旦押ボタン錠本体に押し込まれるが（図４）、移動してきたロック穴２７に突出し落ち込み（図５）、これで連結プレート１９が引き抜き不能にロック状態となる。このロックはラッチ杆１５の引き上げ不能な固定により保持される。しかし、暗唱ボタン操作により固定が解かれるので、ノブ１３を回してラッチ杆１５を引き上げることでロックが解除される。これで連結プレート１９を取り外すことができる。
【００１４】
ロックさせる前提でラッチ杆１５を引っ込める手段として、その先端に斜面２０を設けたが、図７に示すように、逆に連結プレート１９の先端を斜面２０ａとしてもよい。
【符号の説明】
【００１５】
１，２  支柱
３  操作ボックス
５  張りチェーン
７  開閉扉
８  面壁
９  押ボタン錠
１１  押ボタン
１３  ノブ
１５  ラッチ杆
１７  コイルばね
１９  連結プレート
２０，２０a  斜面
２１  差込口
２３  ガイド
２７  ロック穴
【図１】
2019070268.tif 000003
【図２】
2019070268.tif 000004
【図３】
2019070268.tif 000005
【図４】
2019070268.tif 000006
【図５】
2019070268.tif 000007
【図６】
2019070268.tif 000008
【図７】
2019070268.tif 000009